(57)【特許請求の範囲】
【請求項１】
デジタル放送番組の録画予約を行う録画予約設定部と、
前記録画予約の開始時間に現在時刻が達した場合、外部電源から供給される電力によって充電可能な車載用バッテリが充電中であるか否かについて判定する充電判定部と、
前記充電判定部により前記車載用バッテリが充電中であると判定された場合、前記デジタル放送番組の録画を実行するように制御する録画実行制御部と、
前記録画実行制御部により前記デジタル放送番組の録画が開始された後、現在時刻が前記録画予約の終了時間に達する前に、前記充電判定部により前記車載用バッテリが充電中でないと判定された場合、前記車載用バッテリに蓄積されている電力量を検出する電力量検出部と、
前記電力量検出部により検出された電力量から、前記録画予約の終了時間まで前記デジタル放送番組の録画を実行するのに必要な予想消費電力量を減算した電力量である実行後電力量が所定量以上であるか否かについて判定する判定部とを備え、
前記録画実行制御部は、前記判定部により前記実行後電力量が前記所定量以上であると判定された場合に限り、前記デジタル放送番組の録画を前記終了時間まで続行するように制御することを特徴とするデジタル放送受信装置。
【請求項２】
録画予約の開始時間に現在時刻が達したか否かについて判定する第１のステップと、
前記第１のステップにて前記録画予約の開始時間に現在時刻が達したと判定した場合、外部電源から供給される電力によって充電可能な車載用バッテリが充電中であるか否かについて判定する第２のステップと、
前記第２のステップにて前記車載用バッテリが充電中であると判定した場合、前記録画予約に従ってデジタル放送番組の録画を開始するように制御する第３のステップと、
前記第３のステップにて前記デジタル放送番組の録画が開始された後、現在時刻が前記録画予約の終了時間に達する前に、前記車載用バッテリが充電中であるか否かについて判定する第４のステップと、
前記第４のステップにて前記車載用バッテリが充電中でないと判定された場合、前記車載用バッテリに蓄積されている電力量を検出する第５のステップと、
前記第５のステップにて検出された電力量から、前記録画予約の終了時間まで前記デジタル放送番組の録画を実行するのに必要な予想消費電力量を減算した電力量である実行後電力量が所定量以上であるか否かについて判定する第６のステップと、
前記第６のステップにて前記実行後電力量が前記所定量以上であると判定された場合には前記デジタル放送番組の録画を前記終了時間まで続行する一方、前記実行後電力量が前記所定量以上でないと判定された場合には前記デジタル放送番組の録画を終了させるように制御する第７のステップとを有することを特徴とするデジタル放送番組の予約録画方法。
【発明の詳細な説明】
【技術分野】
【０００１】
本発明は、デジタル放送受信装置およびデジタル放送番組の予約録画方法に関し、特に、あらかじめ予約しておいたデジタル放送番組を録画する機能を有するデジタル放送受信装置に用いて好適なものである。
【背景技術】
【０００２】
近年、車両に搭載されるデジタル放送受信装置が普及しつつある。このデジタル放送受信装置の中には、予約録画機能を持っているものもある。予約録画機能を備えたデジタル放送受信装置では、録画しようとするデジタル放送番組の開始時間、終了時間およびチャンネルをユーザが設定することで、当該デジタル放送番組の録画予約を行う。そして、予約した開始時間になると自動的にデジタル放送番組を受信して録画し、終了時間になると録画を終了する。
【０００３】
なお、デジタル放送の予約録画機能に関する技術として、特許文献１に記載の技術が開示されている。特許文献１に記載の技術では、デジタル放送受信機の電源切断時に、番組記録が実行されていない予約番組リストを表示し、車両以外の場所に設置された固定受信機に当該予約番組リストに関する予約情報を送信する。固定受信機は、デジタル放送受信機から受信した予約情報に基づいて番組記録の予約設定を行い、その設定内容に従って番組記録を実行する。これにより、デジタル放送受信機の電源切断時に番組予約の実行が不可能になった番組の記録を固定受信機で継続的に行うことが可能になるとともに、そのために必要な一連の操作を簡略化することができる。
【先行技術文献】
【特許文献】
【０００４】
【特許文献１】特開２００７−１８０８９７号公報
【発明の概要】
【発明が解決しようとする課題】
【０００５】
しかしながら、デジタル放送受信装置を搭載した車両が走行している場合には、例えば降雨や障害物などによって電波受信状況が不安定となりやすく、予約したデジタル放送番組について安定した録画を行うことができない。そのため、デジタル放送受信装置が予約録画機能を有していても、その予約録画機能を使用しない場合が多い。なお、車両の停止時であれば電波受信状況は安定するが、排気ガスを出さないようにエンジンを停止した状態で予約録画機能を使用すると、バッテリ上がりの問題を生じてしまう。
【０００６】
すなわち、エンジンの停止時においてデジタル放送受信装置を使用する場合、エンジンの動力に基づき発電機により発電される電力が車載バッテリに充電されないため、車載バッテリに蓄積されている電力を消費するだけになってしまう。このため、デジタル放送受信装置の予約録画機能を実行することによって車載バッテリに蓄積されている電力を大きく消費してしまうと、バッテリ上がりが生じ、エンジンの始動に十分な電力がなくなってしまうおそれがあるという問題があった。
【０００７】
本発明は、このような問題を解決するために成されたものであり、エンジンの停止時にデジタル放送受信装置の予約録画機能を実行しても、バッテリ上がりが発生しないようにすることを目的とする。
【課題を解決するための手段】
【０００８】
上記した課題を解決するために、本発明では、録画予約が行われたデジタル放送番組の開始時間に現在時刻が達した場合、外部電源から供給される電力によって充電可能な車載用バッテリが充電中であるか否かについて判定し、充電中であると判定したとき、その外部電源から電力の供給を受けてデジタル放送番組の録画を実行するようにしている。
また、デジタル放送番組の録画が開始された後、現在時刻が録画予約の終了時間に達する前に、車載用バッテリが充電中でないと判定された場合、車載用バッテリに蓄積されている電力量から、録画予約の終了時間までデジタル放送番組の録画を実行するのに必要な予想消費電力量を減算した電力量である実行後電力量が所定量以上であるか否かについて判定し、実行後電力量が所定量以上であると判定された場合に限り、デジタル放送番組の録画を終了時間まで続行するようにしている。
【発明の効果】
【０００９】
上記のように構成した本発明によれば、録画予約の開始時間に車載用バッテリが充電中であれば、外部電源から供給される電力によって車載用バッテリに充電を行いつつデジタル放送番組の録画が実行されるため、車載用バッテリに蓄積されている電力は予約録画処理によって録画の開始前より減ることはない。これにより、エンジンの停止時にデジタル放送受信装置の予約録画機能を実行しても、バッテリ上がりが発生することを防止することができる。また、外部電源から電力の供給を受けて行われる車載用バッテリの充電が予約録画処理の途中で終了した場合であっても、バッテリ上がりを確実に防止しつつ、録画予約の終了時間まで録画を続行することができる。
【図面の簡単な説明】
【００１０】
【図１】本実施形態によるデジタル放送受信装置の全体構成例を示すブロック図である。
【図２】本実施形態によるデジタル放送受信装置の動作例を示すフローチャートである。
【発明を実施するための形態】
【００１１】
以下、本発明の実施形態を図面に基づいて説明する。図１は、本実施形態によるデジタル放送受信装置１００の全体構成例を示すブロック図である。デジタル放送受信装置１００は、車室内に設置されている。また、デジタル放送受信装置１００は、車両に搭載された車載用バッテリ１２０から電力の供給を受けて作動する。車載用バッテリ１２０は、外部電源１４０から供給される電力によって充電することが可能である。本実施形態では、外部電源１４０は、自宅の駐車場近傍にコンセントが設けられた商用電源である。なお、外部電源１４０は商用電源に限らず、自宅以外に設置された充電スタンドでもよい。
【００１２】
図１において、１６０はリモコンであり、電源キー、テンキー等の複数のキーを備え、キーの押下を介してユーザからの操作入力を受け付けて、操作入力に対応する赤外線信号を生成して出力する。１８０は録画予約設定部であり、リモコン１６０から出力された赤外線信号を入力し、その赤外線信号に対応する操作入力に基づいて、デジタル放送受信装置１００で受信可能なデジタル放送番組の中から、録画予約を行う対象のデジタル放送番組を設定する。
【００１３】
２００は録画予約情報記憶部であり、録画予約設定部１８０によって録画予約を行う対象として設定されたデジタル放送番組に関する録画予約情報を記憶する。録画予約情報は、録画予約設定部１８０によって録画予約を行う対象として設定されたデジタル放送番組の開始時間、終了時間およびチャンネルをそれぞれ示す開始時間情報、終了時間情報およびチャンネル情報を含む。
【００１４】
２２０は受信アンテナであり、地上波デジタル放送の電波を受信する。２４０はチューナであり、受信アンテナ２２０によって受信した地上波デジタル放送の電波から、選局対象のチャンネルに合致した受信周波数の放送信号を選択的に抽出して出力する。また、チューナ２４０は、後述する録画実行制御部４４０からの制御を受けて、録画予約設定部１８０によって録画予約が行われたデジタル放送番組のチャンネルを選局する。
【００１５】
２６０はＯＦＤＭ復調部であり、チューナ２４０で受信した放送信号をＯＦＤＭ復調してＴＳ（Ｔｒａｎｓｐｏｒｔ  Ｓｔｒｅａｍ）を得る。２８０は誤り訂正部であり、ＯＦＤＭ復調部２６０から入力したＴＳを誤り訂正する。３００はデマルチプレクサ部であり、ＴＳから映像ストリームと音声ストリームとを分離し、映像ストリームをビデオデコーダ部３２０に出力するとともに、音声ストリームをオーディオデコーダ部３４０に出力する。
【００１６】
ビデオデコーダ部３２０は、デマルチプレクサ部３００から入力した映像ストリームをデコードして映像データとしてディスプレイ（図示せず）に出力する。また、ビデオデコーダ部３２０は、録画実行制御部４４０からの制御を受けて、デコードした映像データを録画データ記憶部３６０に出力する。
【００１７】
オーディオデコーダ部３４０は、デマルチプレクサ部３００から入力した音声ストリームをデコードして音声データとしてスピーカ（図示せず）に出力する。また、オーディオデコーダ部３４０は、録画実行制御部４４０からの制御を受けて、デコードした音声データを録画データ記憶部３６０に出力する。
【００１８】
録画データ記憶部３６０は、ハードディスクの大容量記憶装置により構成されており、ビデオデコーダ部３２０およびオーディオデコーダ部３４０からそれぞれ出力された映像データおよび音声データを、録画予約が行われたデジタル放送番組の録画データとして記憶する。
【００１９】
３８０は時刻取得部であり、内蔵時計を参照して現在時刻を取得し、録画実行制御部４４０および判定部５００に通知する。４００はイグニッション判定部であり、イグニッションキーの状態がオンであるか否かについて判定する。そして、イグニッション判定部４００は、その判定結果を録画実行制御部４４０に通知する。
【００２０】
４２０は充電判定部であり、外部電源１４０から供給される電力によって車載用バッテリ１２０が充電中であるか否かについて判定する。本実施形態では、充電判定部４２０は、車両の充電プラグに電力供給用ケーブルが接続されているかを監視し、接続されている場合は充電中であると判定し、接続されていない場合は充電中でないと判定する。そして、充電判定部４２０は、その判定結果を録画実行制御部４４０に通知する。なお、充電判定部４２０は、所定時間（例えば、１０秒）における車載用バッテリ１２０の電圧値の変動を監視し、その電圧値が上昇傾向にある場合は充電中であると判定し、そうでない場合は充電中ではないと判定するようにしても良い。
【００２１】
録画実行制御部４４０は、録画予約情報記憶部２００に記憶されている録画予約情報を参照して、デジタル放送番組の録画予約を実行する。ただし、録画予約を実際に行うか否かを、イグニッションキーの状態と車載用バッテリ１２０の充電状態とに基づいて制御する。すなわち、録画実行制御部４４０は、時刻取得部３８０により通知された現在時刻が録画予約設定部１８０により設定された録画予約の開始時間に達したとき、イグニッション判定部４００よりイグニッションキーの状態がオンである旨の通知を受けているか、充電判定部４２０より車載用バッテリ１２０が充電中である旨の通知を受けていれば、予約されたデジタル放送番組の録画の実行を開始するように制御する。具体的には、録画実行制御部４４０は、録画予約情報のチャンネル情報により示されるチャンネルを選局させるようにチューナ２４０を制御するとともに、デコードした映像データおよび音声データを録画データ記憶部３６０に出力させるようにビデオデコーダ部３２０およびオーディオデコーダ部３４０を制御する。
【００２２】
イグニッションキーの状態がオンになっている場合、エンジンの動力に基づき発電機による発電が行われ、発電された電力が車載用バッテリ１２０に蓄積されていくため、デジタル放送受信装置１００の予約録画機能を実行することによってバッテリ上がりが生じてしまうおそれはない。また、車載用バッテリ１２０が充電中の場合、外部電源１４０から供給された電力が車載用バッテリ１２０に蓄積されていくため、デジタル放送受信装置１００の予約録画機能を実行することによってバッテリ上がりが生じてしまうおそれはない。
【００２３】
また、録画実行制御部４４０は、録画予約が行われたデジタル放送番組の録画を開始した後、録画予約情報記憶部２００に記憶されている録画予約情報の終了時間情報を参照して、時刻取得部３８０により通知された現在時刻が録画予約の終了時間に達したと判定した場合、デジタル放送番組の録画を終了するように制御する。具体的には、録画実行制御部４４０は、録画を開始する前のチャンネルを選局させるようにチューナ２４０を制御するとともに、録画データ記憶部３６０に対する映像データおよび音声データの出力を停止させるようにビデオデコーダ部３２０およびオーディオデコーダ部３４０を制御する。
【００２４】
録画実行制御部４４０は、録画予約が行われたデジタル放送番組の録画を開始した後、時刻取得部３８０から通知された現在時刻が録画予約の終了時間に達する前に、車載用バッテリ１２０が充電中でない旨の通知を充電判定部４２０より受けたとき、電力量の検出指令を電力量検出部４６０に出力する。この指令を受けて、電力量検出部４６０は、車載用バッテリ１２０に蓄積されている電力量を検出し判定部５００に通知する。
【００２５】
４８０は実行電力量情報記憶部であり、デジタル放送受信装置１００がデジタル放送番組の録画処理を実行するのに必要な単位時間当たりの電力量を示す実行電力量情報を記憶する。本実施形態では、実行電力量情報として、あらかじめ決められた固定の電力量を用いる。
【００２６】
判定部５００は、録画予約情報記憶部２００に記憶されている録画予約情報の終了時間情報と、電力量検出部４６０から電力量の通知を受けたとき（車載用バッテリ１２０が充電中でなくなったとき）に時刻取得部３８０から通知された現在時刻とに基づいて、車載用バッテリ１２０が充電中でなくなった時点から、録画予約されたデジタル放送番組の録画が終了するまでの時間を録画残時間として算出する。そして、判定部５００は、実行電力量情報記憶部４８０に記憶されている実行電力量情報により示される単位時間当たりの電力量と録画残時間とを乗算することにより、録画予約の終了時間までデジタル放送番組の録画を実行するのに必要な電力量を予想消費電力量として算出する。
【００２７】
さらに、判定部５００は、電力量検出部４６０から通知された車載用バッテリ１２０の蓄積電力量から予想消費電力量を減算した電力量である実行後電力量が所定量（エンジンの始動に十分な電力量）以上であるか否かについて判定する。そして、判定部５００は、その判定結果を録画実行制御部４４０に通知する。
【００２８】
録画実行制御部４４０は、実行後電力量が所定量以上である旨の通知を判定部５００より受けた場合、録画予約されたデジタル放送番組の録画を終了時間まで続行するように制御する。車載用バッテリ１２０に蓄積されている電力量が十分あるため、予約録画を最後まで実行してもバッテリ上がりを招いてしまう可能性が低いからである。また、録画実行制御部４４０は、実行後電力量が所定量以上でない旨の通知を判定部５００より受けた場合、録画予約されたデジタル放送番組の録画を終了するように制御する。
【００２９】
次に、本実施形態におけるデジタル放送受信装置１００の動作を説明する。図２は、デジタル放送受信装置１００の動作例を示すフローチャートである。図２に示すフローチャートは、録画予約設定部１８０によって録画予約を行う対象のデジタル放送番組が設定された後に開始する。
【００３０】
まず、録画実行制御部４４０は、録画予約情報記憶部２００に記憶されている録画予約情報の開始時間を参照して、時刻取得部３８０より通知された現在時刻が録画予約設定部１８０により録画予約されたデジタル放送番組の開始時間に達したか否かについて判定する（ステップＳ１００）。もし、録画予約されたデジタル放送番組の開始時間に現在時刻が達していないと録画実行制御部４４０にて判定した場合（ステップＳ１００にてＮＯ）、処理はステップＳ１００に遷移する。
【００３１】
一方、録画予約されたデジタル放送番組の開始時間に現在時刻が達したと録画実行制御部４４０にて判定した場合（ステップＳ１００にてＹＥＳ）、イグニッション判定部４００は、イグニッションキーの状態がオンであるか否かについて判定する（ステップＳ１２０）。もし、イグニッションキーの状態がオンであるとイグニッション判定部４００にて判定した場合（ステップＳ１２０にてＹＥＳ）、イグニッション判定部４００は、その旨を録画実行制御部４４０に通知する。
【００３２】
次に、録画実行制御部４４０は、イグニッションキーの状態がオンである旨の通知をイグニッション判定部４００より受けて、録画予約情報記憶部２００に記憶されている録画予約情報に基づいて、録画予約が行われたデジタル放送番組の録画を開始するようにチューナ２４０、ビデオデコーダ部３２０およびオーディオデコーダ部３４０を制御する（ステップＳ１４０）。その後、録画実行制御部４４０は、録画予約情報記憶部２００に記憶されている録画予約情報の終了時間情報を参照して、時刻取得部３８０より通知された現在時刻が録画予約設定部１８０により録画予約されたデジタル放送番組の終了時間に達したか否かについて判定する（ステップＳ１６０）。
【００３３】
もし、録画予約されたデジタル放送番組の終了時間に現在時刻が達していないと録画実行制御部４４０にて判定した場合（ステップＳ１６０にてＮＯ）、処理はステップＳ１６０に遷移する。一方、録画予約されたデジタル放送番組の終了時間に現在時刻が達したと録画実行制御部４４０にて判定した場合（ステップＳ１６０にてＹＥＳ）、処理はステップＳ３６０に遷移する。ステップＳ３６０の処理については後述する。
【００３４】
イグニッションキーの状態がオンでないとイグニッション判定部４００にて判定した場合（ステップＳ１２０にてＮＯ）、充電判定部４２０は、外部電源１４０から電力の供給を受けて車載用バッテリ１２０が充電中であるか否かについて判定する（ステップＳ１８０）。もし、車載用バッテリ１２０が充電中でないと充電判定部４２０にて判定した場合（ステップＳ１８０にてＮＯ）、デジタル放送受信装置１００は図２における処理を終了する。
【００３５】
一方、車載用バッテリ１２０が充電中であると充電判定部４２０にて判定した場合（ステップＳ１８０にてＹＥＳ）、充電判定部４２０は、その旨を録画実行制御部４４０に通知する。録画実行制御部４４０は、車載用バッテリ１２０が充電中である旨の通知を充電判定部４２０より受けて、録画予約情報記憶部２００に記憶されている録画予約情報に基づいて、録画予約設定部１８０により録画予約が行われたデジタル放送番組の録画を開始するようにチューナ２４０、ビデオデコーダ部３２０およびオーディオデコーダ部３４０を制御する（ステップＳ２００）。その後、録画実行制御部４４０は、録画予約情報記憶部２００に記憶されている録画予約情報の終了時間情報を参照して、時刻取得部３８０より通知された現在時刻が録画予約設定部１８０により録画予約されたデジタル放送番組の終了時間に達したか否かについて判定する（ステップＳ２２０）。
【００３６】
もし、録画予約されたデジタル放送番組の終了時間に現在時刻が達したと録画実行制御部４４０にて判定した場合（ステップＳ２２０にてＹＥＳ）、処理はステップＳ３６０に遷移する。一方、録画予約されたデジタル放送番組の終了時間に現在時刻が達していないと録画実行制御部４４０にて判定した場合（ステップＳ２２０にてＮＯ）、充電判定部４２０は、外部電源１４０から電力の供給を受けて車載用バッテリ１２０が充電中であるか否かについて判定する（ステップＳ２４０）。
【００３７】
もし、車載用バッテリ１２０が充電中であると充電判定部４２０にて判定した場合（ステップＳ２４０にてＹＥＳ）、処理はステップＳ２２０に遷移する。一方、車載用バッテリ１２０が充電中でないと充電判定部４２０にて判定した場合（ステップＳ２４０にてＮＯ）、充電判定部４２０は、その旨を録画実行制御部４４０に通知する。この通知受けて、録画実行制御部４４０は、電力量の検出指令を電力量検出部４６０に出力する。電力量検出部４６０は、検出指令を録画実行制御部４４０より受けて、車載用バッテリ１２０に蓄積されている電力量を検出し、判定部５００に通知する（ステップＳ２６０）。
【００３８】
次に、判定部５００は、録画予約情報記憶部２００に記憶されている録画予約情報の終了時間情報と、車載用バッテリ１２０が充電中でなくなった時点で時刻取得部３８０から通知された現在時刻とに基づいて、充電中でなくなった時点からデジタル放送番組の予約録画が終了するまでの時間を録画残時間として算出する（ステップＳ２８０）。さらに、判定部５００は、実行電力量情報記憶部４８０に記憶されている実行電力量情報により示される単位時間当たりの電力量とステップＳ２８０にて算出した録画残時間とを乗算することにより、録画予約の終了時間までデジタル放送番組の録画を実行するのに必要な電力量を予想消費電力量として算出する（ステップＳ３００）。
【００３９】
そして、判定部５００は、電力量検出部４６０から通知された車載用バッテリ１２０の蓄積電力量から予想消費電力量を減算した実行後電力量が所定量（エンジンの始動に十分な電力量）以上であるか否かについて判定する（ステップＳ３２０）。もし、実行後電力量が所定量以上でないと判定部５００にて判定した場合（ステップＳ３２０にてＮＯ）、処理はステップＳ３６０に遷移する。一方、実行後電力量が所定量以上であると判定部５００にて判定した場合（ステップＳ３２０にてＮＯ）、録画実行制御部４４０は、録画予約情報記憶部２００に記憶されている録画予約情報の終了時間情報を参照して、時刻取得部３８０より通知された現在時刻が録画予約設定部１８０により録画予約されたデジタル放送番組の終了時間に達したか否かについて判定する（ステップＳ３４０）。
【００４０】
もし、録画予約されたデジタル放送番組の終了時間に現在時刻が達していないと録画実行制御部４４０にて判定した場合（ステップＳ３４０にてＮＯ）、処理はステップＳ３４０に遷移する。一方、録画予約されたデジタル放送番組の終了時間に現在時刻が達していると録画実行制御部４４０にて判定した場合（ステップＳ３４０にてＹＥＳ）、処理はステップＳ３６０に遷移する。
【００４１】
最後に、ステップＳ３６０では、録画実行制御部４４０は、録画予約が行われたデジタル放送番組の録画を終了するようにチューナ２４０、ビデオデコーダ部３２０およびオーディオデコーダ部３４０を制御する。その処理が完了した後、デジタル放送受信装置１００は図２における処理を終了する。
【００４２】
以上詳しく説明したように、本実施形態では、録画予約が行われたデジタル放送番組の開始時間に現在時刻が達した場合、イグニッションキーの状態がオンでないときは、外部電源１４０から供給される電力によって車載用バッテリ１２０が充電中であるか否かについて判定する。そして、充電中であると判定したときは、デジタル放送番組の録画を実行するようにしている。
【００４３】
このように構成した本実施形態によれば、録画予約の開始時間に車載用バッテリ１２０が充電中であれば、外部電源１４０から供給される電力によって車載用バッテリ１２０を充電しながらデジタル放送番組の録画が実行されるため、車載用バッテリ１２０に蓄積されている電力は予約録画処理によって録画の開始前より減ることはない。これにより、エンジンの停止時にデジタル放送受信装置１００の予約録画機能を実行しても、バッテリ上がりが発生することを防止することができる。
【００４４】
また、本実施形態では、車載用バッテリ１２０の充電中にデジタル放送番組の録画を開始した後、現在時刻が録画予約の終了時間に達する前に、車載用バッテリ１２０が充電中でなくなった場合、車載用バッテリ１２０に蓄積されている電力量を検出する。そして、検出した電力量から、録画予約の終了時間までデジタル放送番組の録画を続行するのに必要な予想消費電力量を減算した実行後電力量が所定量以上であれば、デジタル放送番組の録画を終了時間まで続行するように制御している。
【００４５】
このように構成した本実施形態によれば、外部電源１４０から電力の供給を受けて行われる車載用バッテリ１２０の充電が予約録画処理の途中で終了した場合であっても、バッテリ上がりを確実に防止しつつ、録画予約の終了時間まで録画を続行することができる。
【００４６】
なお、上記実施形態では、車載用バッテリ１２０が充電中であるか否かに関わらず、デジタル放送受信装置１００は、車載用バッテリ１２０から電力の供給を受けて作動する例について説明したが、本発明はこれに限定されない。例えば、車載用バッテリ１２０が充電中である場合、デジタル放送受信装置１００は、外部電源１４０から直接的に電力の供給を受けて作動するようにしても良い。
【００４７】
また、上記実施形態において、録画予約されたデジタル放送番組の録画を終了時間まで続行するか否かの判定処理に用いる所定量（エンジンの始動に十分な電力量）をユーザが設定できるようにしても良い。
【００４８】
その他、上記実施形態は、何れも本発明を実施するにあたっての具体化の一例を示したものに過ぎず、これらによって本発明の技術的範囲が限定的に解釈されてはならないものである。すなわち、本発明はその精神、またはその主要な特徴から逸脱することなく、様々な形で実施することができる。
【符号の説明】
【００４９】
１００  デジタル放送受信装置
１２０  車載用バッテリ
１４０  外部電源
１８０  録画予約設定部
４２０  充電判定部
４４０  録画実行制御部
４６０  電力量検出部
５００  判定部
【図１】
0005409426.tif 000002
【図２】
0005409426.tif 000003